(57)【要約】【課題】コンテンツデータを再生する装置に、特別なコマンド等を使用することなく、コンテンツデータのサンプリング周波数を通知できるようにする。【解決手段】コンテンツデータを送信する送信装置が、それを受信して再生する受信装置にケーブルを介して、コンテンツデータを送信するとともにそのコンテンツデータのサンプリング周波数に応じて電源周波数を切り替えてＡＣ電源を供給し、受信装置は、送信装置から供給されるＡＣ電源の電源周波数に基づいて、受信した送信装置からのコンテンツデータの再生に係る周波数を決定し、決定した周波数でコンテンツデータを再生するようにして、特別なコマンド等を使用することなく、ＡＣ電源の電源周波数によってサンプリング周波数の通知を可能にし、適当な周波数でコンテンツデータを再生できるようにする。【選択図】図２
2009118183.tif 000002
【特許請求の範囲】
【請求項１】
コンテンツデータを送信する送信装置と、前記コンテンツデータを受信して再生する受信装置とが、ケーブルを介して接続された通信システムであって、
前記送信装置は、前記ケーブルを介して前記受信装置に、前記コンテンツデータを送信するとともに、当該コンテンツデータに係るサンプリング周波数に応じて電源周波数を切り替えて交流電源を供給する供給手段を有し、
前記受信装置は、前記送信装置からの前記コンテンツデータを受信するとともに前記交流電源の供給を受け、当該交流電源の電源周波数を基に、受信したコンテンツデータの再生に係る周波数を決定して、決定した周波数で受信したコンテンツデータを再生する再生手段を有することを特徴とする通信システム。
【請求項２】
前記送信装置は、前記コンテンツデータを、前記ケーブルを介して供給する前記交流電源に重畳して伝送することを特徴とする請求項１記載の通信システム。
【請求項３】
ケーブルを介して接続された受信装置にコンテンツデータを送信する送信手段と、
前記受信装置に交流電源を供給する電源出力手段と、
前記送信手段より送信するコンテンツデータに係るサンプリング周波数に応じて、前記電源出力手段より供給する交流電源の電源周波数を前記サンプリング周波数に一意に関連付けられた電源周波数に切り替える電源周波数切替手段とを備えることを特徴とする通信装置。
【請求項４】
前記電源周波数切替手段は、前記交流電源の電源周波数を前記サンプリング周波数と同一の周波数にすることを特徴とする請求項３記載の通信装置。
【請求項５】
前記電源周波数切替手段は、前記交流電源の電源周波数を前記サンプリング周波数のｎ倍（ｎは任意の数）の周波数にすることを特徴とする請求項３記載の通信装置。
【請求項６】
前記受信装置に供給する交流電源のゼロクロス点を検出する検出手段を備え、
前記送信手段は、前記検出手段により検出したゼロクロス点を基準とした所定のタイミングに同期させて前記コンテンツデータを送信することを特徴とする請求項３〜５の何れか１項に記載の通信装置。
【請求項７】
前記送信手段は、前記コンテンツデータをフレーム化し、前記検出手段により検出したゼロクロス点に前記コンテンツデータのフレームの先頭を一致させて送信することを特徴とする請求項６記載の通信装置。
【請求項８】
前記コンテンツデータを前記交流電源に重畳し、前記ケーブルを介して前記受信装置に伝送することを特徴とする請求項３〜７の何れか１項に記載の通信装置。
【請求項９】
ケーブルを介して接続された送信装置からのコンテンツデータを受信する受信手段と、
前記送信装置から供給される交流電源を入力する電源入力手段と、
前記電源入力手段より入力される交流電源の電源周波数に基づいて、コンテンツデータの再生に係る周波数を選択する周波数選択手段と、
前記周波数選択手段により選択した周波数で、前記受信手段にて受信したコンテンツデータを再生する再生処理手段とを備えることを特徴とする通信装置。
【請求項１０】
前記電源入力手段より入力される交流電源のゼロクロス点を検出する検出手段を備え、
前記検出手段により検出したゼロクロス点を基準とした所定のタイミングをデータの開始点として前記コンテンツデータを再生することを特徴とする請求項９記載の通信装置。
【請求項１１】
前記コンテンツデータと前記交流電源とが重畳され、前記ケーブルを介して前記送信装置から伝送されることを特徴とする請求項９又は１０記載の通信装置。
【請求項１２】
コンテンツデータを送信する送信装置が、前記コンテンツデータを受信して再生する受信装置にケーブルを介して、前記コンテンツデータを送信するとともに、当該コンテンツデータに係るサンプリング周波数に応じて電源周波数を切り替えて交流電源を供給し、
前記受信装置が、前記送信装置からの前記コンテンツデータを受信するとともに前記交流電源の供給を受け、当該交流電源の電源周波数を基に、受信したコンテンツデータの再生に係る周波数を決定して、決定した周波数で受信したコンテンツデータを再生することを特徴とする通信方法。
【請求項１３】
ケーブルを介して接続された受信装置にコンテンツデータを送信する送信ステップと、
前記受信装置に交流電源を供給する電源出力ステップと、
前記送信ステップにて送信するコンテンツデータに係るサンプリング周波数に応じて、前記受信装置に供給する交流電源の電源周波数を前記サンプリング周波数に一意に関連付けられた電源周波数に切り替える電源周波数切替ステップとをコンピュータに実行させるためのプログラム。
【請求項１４】
ケーブルを介して接続された送信装置からのコンテンツデータを受信する受信ステップと、
前記送信装置から供給される交流電源の電源周波数に基づいて、コンテンツデータの再生に係る周波数を選択する周波数選択ステップと、
前記周波数選択ステップにて選択した周波数で、前記受信ステップにて受信したコンテンツデータを再生する再生処理ステップとをコンピュータに実行させるためのプログラム。
【発明の詳細な説明】
【技術分野】
【０００１】
本発明は、通信システム、通信装置、及び通信方法に関し、コンテンツデータ及びＡＣ電源を装置間で伝送する通信システムに用いて好適なものである。
【背景技術】
【０００２】
従来、機器で使用する交流電源（ＡＣ電源）の周波数は、日本国内であれば５０Ｈｚ若しくは６０Ｈｚと固定されている。基本的には、使用者がＡＣ電源周波数を変更して使用することはできない。
【０００３】
パーソナル・コンピュータ（パソコン）やサーバなどを使用する際には、ＵＰＳ（無停電電源）などから電源を供給し、停電時においても電源供給できるようにすることが考えられている。ＵＰＳは、内蔵する大容量のバッテリを常時充電しておき、接続されたパソコンなどへ停電時に電力を供給し、データの消失等を防ぐものである。また、ＵＰＳは、商用電源にノイズが発生した場合、ＡＣ電源周波数が変動した場合、高調波歪みなどが発生した場合に、それら外乱による２次側に接続されているパソコンなどの異常動作の発生を防ぐ。
【０００４】
しかし、ＵＰＳの出力電源は、国内仕様に対応するものでは、電圧が商用電源と同様の電圧である１００Ｖ±１０％に設定され、その電源周波数が商用電源の周波数である５０Ｈｚ若しくは６０Ｈｚに設定される。これは、ＵＰＳなどの停電対策機器を接続しない状態で、パソコンなどの機器が商用電源から電源供給を受けた場合でも正しく動作しなくてはいけないので当然と言える。したがって、ＵＰＳなどの機器は、出力する電圧及び電源周波数などを商用電源の仕様に近い仕様とする必要があり、出力電源の仕様を大きく変更することは不可能である。
【０００５】
また、昨今の高級オーディオ機器市場では、オーディオアンプへの電源供給用に特別の電源を用意し、商用電源における周波数歪み、電圧変動、ノイズ混入などの電源ノイズや電源変動を主要因とする音質劣化を防ぐことも考えられている。消費電流や電源ケーブル長などにより電源周波数が５０Ｈｚ若しくは６０Ｈｚからずれることがあり、その場合にオーディオ機器用の特別な電源は、オーディオアンプに供給する電源周波数のずれを小さくするように補正して音質劣化を抑制する。これもＡＣ電源周波数が５０Ｈｚ若しくは６０Ｈｚから大きく変更することはなく、単にＡＣ電源における周波数歪みを補正するに留まっている。
【０００６】
ＡＣ電源にデータを重畳してデータ伝送を行うことができるものに、Ｅｃｈｏｎｅｔで規格化された伝送方式がある。また、Ｅｃｈｏｎｅｔよりも大容量のデータ伝送を実現するHome Plug Power Line Alliance規格の電力線搬送通信（Power Line Communication：ＰＬＣ）が米国などの一部の国で実用化されつつある。また、欧州を中心としたＰＬＣ規格団体ＵＰＡ（Universal Power line Association）においても異なる規格でＰＬＣを推進している。
【０００７】
オーディオシステムにおいて、５．１チャンネルサラウンドシステムや７．１チャンネルサラウンドシステムなどのように複数のスピーカを使い、立体的な音響効果を演出するシステムが多く出回ってきた。このようなシステムでは、再生された音響メディアの音響データをアナログ波形（アナログ信号）で伝送するので、音響メディアのサンプリング周波数をスピーカ側で知る必要はなく、スピーカ側でアンプは用意されない。また、スピーカアンプを分離したものでも、アナログ信号で音響データを伝送するのでスピーカアンプ側で音響メディアの収録時のサンプリング周波数を知る必要はない。コードレスで無線通信や赤外線通信などを使用してスピーカへ信号を伝送する場合もあるが、同様の理由で音響メディアの収録時のサンプリング周波数をスピーカ側に伝達する必要はない。
【０００８】
音源ソースを送信する装置とスピーカなどの再生装置が分離されＩＥＥＥ１３９４などの規格を使用して音響データを伝送するシステムにおいて、デジタルデータの状態で音響データを伝送する際はサンプリング周波数を知らないと再生することができない。この場合には、コマンド等で音響メディアのサンプリング周波数を通知することが一般的である。
【０００９】
また、ＬＣＤ駆動信号と電気照明が使用する電源との周波数が同一であるために発生するちらつきの対策として、ＬＣＤの駆動周波数は電気照明の周波数と関連の少ない周波数を選択しＬＣＤを駆動する方法が提案されている（特許文献１参照。）。具体的には、地域、国別で異なるＡＣ電源周波数を検出し、検出したＡＣ電源周波数に対して影響を最も受けない周波数で装備されたＬＣＤを駆動することで、ＬＣＤの表示におけるちらつきを軽減させる。すなわち、ＬＣＤを照らす蛍光灯を駆動するＡＣ電源周波数を検出し、それに応じてＬＣＤの駆動周波数を可変にすることで、ＬＣＤのちらつきを少なくする。
【００１０】
【特許文献１】特開２００２−１４６６１号公報
【発明の開示】
【発明が解決しようとする課題】
【００１１】
コンテンツメディアのデータを抽出する装置（音源）とそれを再生する再生装置が分離され、コンテンツデータがデジタルデータの状態で伝送されるシステムにおいては、サンプリング周波数を用いて処理しないと所望のコンテンツを再生することができない。したがって、このようなシステムにおいて、再生装置はコンテンツメディアの収録時のサンプリング周波数を知る必要があり、何らかの方法でサンプリング周波数を再生装置側に通知する必要がある。
【００１２】
本発明は、このような事情に鑑みてなされたものであり、コンテンツデータを再生する装置に、特別なコマンド等を使用することなく、コンテンツデータのサンプリング周波数を通知できるようにすることを目的とする。
【課題を解決するための手段】
【００１３】
本発明の通信システムは、コンテンツデータを送信する送信装置と、前記コンテンツデータを受信して再生する受信装置とが、ケーブルを介して接続された通信システムであって、前記送信装置は、前記ケーブルを介して前記受信装置に、前記コンテンツデータを送信するとともに、当該コンテンツデータに係るサンプリング周波数に応じて電源周波数を切り替えて交流電源を供給する供給手段を有し、前記受信装置は、前記送信装置からの前記コンテンツデータを受信するとともに前記交流電源の供給を受け、当該交流電源の電源周波数を基に、受信したコンテンツデータの再生に係る周波数を決定して、決定した周波数で受信したコンテンツデータを再生する再生手段を有することを特徴とする。
本発明の通信装置は、ケーブルを介して接続された受信装置にコンテンツデータを送信する送信手段と、前記受信装置に交流電源を供給する電源出力手段と、前記送信手段より送信するコンテンツデータに係るサンプリング周波数に応じて、前記電源出力手段より供給する交流電源の電源周波数を前記サンプリング周波数に一意に関連付けられた電源周波数に切り替える電源周波数切替手段とを備えることを特徴とする。
本発明の通信装置は、ケーブルを介して接続された送信装置からのコンテンツデータを受信する受信手段と、前記送信装置から供給される交流電源を入力する電源入力手段と、前記電源入力手段より入力される交流電源の電源周波数に基づいて、コンテンツデータの再生に係る周波数を選択する周波数選択手段と、前記周波数選択手段により選択した周波数で、前記受信手段にて受信したコンテンツデータを再生する再生処理手段とを備えることを特徴とする。
本発明の通信方法は、コンテンツデータを送信する送信装置が、前記コンテンツデータを受信して再生する受信装置にケーブルを介して、前記コンテンツデータを送信するとともに、当該コンテンツデータに係るサンプリング周波数に応じて電源周波数を切り替えて交流電源を供給し、前記受信装置が、前記送信装置からの前記コンテンツデータを受信するとともに前記交流電源の供給を受け、当該交流電源の電源周波数を基に、受信したコンテンツデータの再生に係る周波数を決定して、決定した周波数で受信したコンテンツデータを再生することを特徴とする。
本発明のプログラムは、ケーブルを介して接続された受信装置にコンテンツデータを送信する送信ステップと、前記受信装置に交流電源を供給する電源出力ステップと、前記送信ステップにて送信するコンテンツデータに係るサンプリング周波数に応じて、前記受信装置に供給する交流電源の電源周波数を前記サンプリング周波数に一意に関連付けられた電源周波数に切り替える電源周波数切替ステップとをコンピュータに実行させることを特徴とする。
本発明のプログラムは、ケーブルを介して接続された送信装置からのコンテンツデータを受信する受信ステップと、前記送信装置から供給される交流電源の電源周波数に基づいて、コンテンツデータの再生に係る周波数を選択する周波数選択ステップと、前記周波数選択ステップにて選択した周波数で、前記受信ステップにて受信したコンテンツデータを再生する再生処理ステップとをコンピュータに実行させることを特徴とする。
【発明の効果】
【００１４】
本発明によれば、送信側は、送信するコンテンツデータに係るサンプリング周波数に応じた電源周波数に設定して交流電源を供給し、受信側は、供給される交流電源の電源周波数を基に受信するコンテンツデータの再生に係る周波数を決定して再生処理を行う。これにより、特別なコマンドや信号等を使用することなく、送信側から受信側に供給する交流電源の電源周波数によって、コンテンツデータのサンプリング周波数を通知することができ、適当な周波数で処理を実行しコンテンツデータを再生することができる。
【発明を実施するための最良の形態】
【００１５】
以下、本発明の実施形態を図面に基づいて説明する。
【００１６】
（第１の実施形態）
図１は、本発明の第１の実施形態に係る通信システムの構成例を示すブロック図である。
【００１７】
図１において、音響プレーヤ１０１は、音響メディア（コンテンツメディア）から音響データ（コンテンツデータ）の抽出などを行う。サラウンドコントローラ（以下、ＳＣ）１０２は、音響プレーヤ１０１で抽出された音響データ（コンテンツデータ）をサラウンド処理して各スピーカユニットに対して送信するとともに、各スピーカユニットに動作電源としての交流電源（ＡＣ電源）を供給する。ＳＣ１０２により送信装置としての各機能が実現され、音響プレーヤ１０１及びＳＣ１０２により送信システムとしての各機能が実現される。
【００１８】
スピーカユニット（以下、ＳＰ）群１０３〜１０８は、動作電源としての交流電源（ＡＣ電源）の供給を受け、ＳＣ１０２にてサラウンド処理された音響データを再生する。各ＳＰ１０３〜１０８は、受信装置（受信システム）としての機能を実現する。ＳＣ１０２とＳＰの１つであるセンタースピーカ（以下、ＣＳＰ）１０３とは、ケーブル１０９−１を介して接続されている。また、各ＳＰ間は、ケーブル１０９−２〜１０９−６を介して接続されている。
【００１９】
なお、図１においては、第１の実施形態における通信システムの一例として、６台のＳＰ１０３〜１０８を有する５．１チャンネルのサラウンドシステム（音響システム）を示しているが、本発明はこれに限定されるものではない。本発明は、コンテンツメディアからのコンテンツデータを送信する送信装置（送信システム）と、その送信されたコンテンツデータを受信して再生する受信装置（受信システム）とが、ケーブルを介して接続される任意の通信システムに適用可能である。通信システムが備える受信装置（受信システム）の数は任意である。
【００２０】
図１に示した通信システムにおいて、音響プレーヤ１０１からＳＣ１０２へ音響メディア（コンテンツメディア）から抽出した音響データ（コンテンツデータ）が伝送される。音響プレーヤ１０１から伝送された音響データは、ＳＣ１０２内で５．１チャンネルに対応したスピーカ６台分のサラウンド対応のデータに加工されて、各ＳＰ群１０３〜１０８に伝送される。
【００２１】
上述したようにＳＣ１０２はＣＳＰ１０３に接続されている。また、ＣＳＰ１０３からの接続は、２つに分岐されて残り５台のＳＰ群１０４〜１０８にデイジーチェーン接続方式で接続されている。デイジーチェーン接続の一方は、ＣＳＰ１０３から、フロントライトスピーカユニット（以下、ＦＲＳＰ）１０６、サブウーハァスピーカユニット（以下、ＳＷＳＰ）１０７、リアライトスピーカユニット（以下、ＲＲＳＰ）１０８の順に接続されている。デイジーチェーン接続の他方は、ＣＳＰ１０３から、フロントレフトスピーカユニット（以下、ＦＬＳＰ）１０４、リアレフトスピーカユニット（以下、ＲＬＳＰ）１０５の順に接続されている。
【００２２】
また、各ＳＰ間はケーブル１０９で接続されており、このケーブル１０９において、音響データとＳＣ１０２による各ＳＰ駆動用の電源（ＡＣ電源）の供給を同時に行う。すなわち、本実施形態における通信システムにおいて、音響データは、供給されるＡＣ電源に重畳されてケーブル１０９を介して各ＳＰに伝送される。
【００２３】
図２は、図１に示した各通信装置の構成例を示すブロック図である。図２においては、説明の便宜上、音響プレーヤ１０１、ＳＣ１０２、及びＣＳＰ１０３を示し、それらが接続された状態を示している。なお、他のＳＰ群１０４〜１０８における内部構成や接続形態はＣＳＰ１０３と同様であるので省略する。
【００２４】
音響プレーヤ１０１は、音響メディア３０１、サンプリング周波数検出部３０２、及び音響データ抽出部３０３を有する。サンプリング周波数検出部３０２は、コンテンツメディアであるＣＤやＤＶＤなどの音響メディア３０１の収録時のサンプリング周波数、言い換えれば収録されている音響データ（コンテンツデータ）に係るサンプリング周波数を検出する。音響データ抽出部３０３は、音響メディア３０１から音響データを抽出する。
【００２５】
ＳＣ１０２は、サンプリングクロック生成部３０４、ＡＣ電源周波数切替部３０５、ＡＣ電源出力部３０６、電源部３０７、コンセントプラグ３０８、及びゼロクロス検出部３０９を有する。また、ＳＣ１０２は、電源／データ挿入部３１０、サラウンドデータ生成部３１１、データフレーム生成部３１２、データ変調部３１３、及び設定部３１７を有する。
【００２６】
サンプリングクロック生成部３０４は、音響プレーヤ１０１内のサンプリング周波数検出部３０２にて検出された音響メディア３０１の収録時のサンプリング周波数（コンテンツデータに係るサンプリング周波数）に基づいてサンプリングクロックを生成する。
【００２７】
ＡＣ電源周波数切替部３０５は、ケーブル１０９を介して各ＳＰ１０３〜１０８に供給する駆動用のＡＣ電源（交流電源）の電源周波数の切り替えを可能にするものである。ＡＣ電源周波数切替部３０５は、サンプリング周波数検出部３０２にて検出された音響メディア３０１のサンプリング周波数に応じて、各ＳＰ１０３〜１０８に供給するＡＣ電源の電源周波数を変更する。より詳細には、ＡＣ電源周波数切替部３０５は、音響メディア３０１のサンプリング周波数に応じて、そのサンプリング周波数に一意に関連付けられた電源周波数に、供給するＡＣ電源の電源周波数を切り替える。
【００２８】
ＡＣ電源出力部３０６は、各ＳＰ１０３〜１０８に供給するＡＣ電源を出力する。電源部３０７は、コンセントプラグ３０８を介して供給される商用電源から、各ＳＰ１０３〜１０８に供給する電源やＳＣ１０２内部用の電源を生成する。ゼロクロス検出部３０９は、各ＳＰ１０３〜１０８に供給するＡＣ電源のゼロクロス点（ゼロクロスポイント）を検出する。
【００２９】
サラウンドデータ生成部３１１は、音響プレーヤ１０１内の音響データ抽出部３０３にて抽出された音響データから各ＳＰ１０３〜１０８で再生する５．１チャンネル用のサラウンドデータを生成する。データフレーム生成部３１２は、サラウンドデータ生成部３１１により生成されたサラウンドデータを音響メディア３０１の収録時のサンプリング周波数の１周期以内にフレーム化する。ここで、本実施形態においては、後述するように各ＳＰ１０３〜１０８に供給するＡＣ電源の電源周波数を音響メディア３０１のサンプリング周波数と同一の周波数にする。したがって、データフレーム生成部３１２は、生成されたサラウンドデータを各ＳＰ１０３〜１０８に供給するＡＣ電源の１サイクル以内にフレーム化することとなる。
【００３０】
データ変調部３１３は、データフレーム生成部３１２にてフレーム化された音響データを各ＳＰ１０３〜１０８に送信するために変調する。サラウンドデータ生成部３１１、データフレーム生成部３１２、及びデータ変調部３１３により送信手段としての機能が実現される。
【００３１】
電源／データ挿入部３１０は、データ変調部３１３で変調処理された音響データを各ＳＰ１０３〜１０８に供給するＡＣ電源に重畳し出力する。設定部３１７は、接続されたＳＰの台数、デイジーチェーンの接続形態、各ＳＰにおけるサラウンドを実現するための役割などの設置環境を設定する。
【００３２】
ＣＳＰ１０３は、電源／データ分離部３５１、電源周波数検出部３５２、ゼロクロス検出部３５３、マスタークロック選択部３５４、サンプリングクロック生成部３５５、及びビットクロック生成部３５６を有する。また、ＣＳＰ１０３は、データ復調部３５８、内部電源生成部３５９、データ再変調部３６０、３６４、アンプ部３６１、スピーカ部３６２、電源／データ挿入部３６３、３６５、及びローパスフィルタ（ＬＰＦ）３１４、３１５を有する。
【００３３】
電源／データ分離部３５１は、ＳＣ１０２からケーブル１０９−１を介して供給される音響データとＡＣ電源とを分離する。電源／データ分離部３５１により受信手段及び電源入力手段としての機能が実現される。電源周波数検出部３５２は、電源／データ分離部３５１により分離して得られるＳＣ１０２からのＡＣ電源の電源周波数を検出する。ゼロクロス検出部３５３は、ＳＣ１０２から供給されたＡＣ電源のゼロクロス点（ゼロクロスポイント）を検出する。マスタークロック選択部３５４は、ＣＳＰ１０３内で複数用意しているマスタークロックの中から、電源周波数検出部３５２により検出されたＡＣ電源の電源周波数に応じたマスタークロックを選択する。
【００３４】
サンプリングクロック生成部３５５は、マスタークロック選択部３５４により選択されたマスタークロックを用いて、音響メディア３０１の収録時のサンプリング周波数と同一の周波数のサンプリングクロックを生成する。ここで、本実施形態において、ＳＣ１０２から供給されるＡＣ電源の電源周波数と音響メディア３０１のサンプリング周波数とは同一の周波数とする。したがって、サンプリングクロック生成部３５５は、供給されるＡＣ電源の電源周波数と同一の周波数のサンプリングクロックを発生させることとなる。また、サンプリングクロック生成部３５５は、ゼロクロス検出部３５３により検出されたＡＣ電源のゼロクロス点とサンプリングクロックとの同期をとることも行う。電源周波数検出部３５２、マスタークロック選択部３５４、及びサンプリングクロック生成部３５５により周波数選択手段としての機能が実現される。
【００３５】
ビットクロック生成部３５６は、ＳＣ１０２から供給されるＡＣ電源に重畳されている音響データを復調する際に使用するビットクロックを生成する。また、ビットクロック生成部３５６は、各ＳＰへの音響データの切り替えを示すＳＰデータ切替クロックを生成する。
【００３６】
データ復調部３５８は、電源／データ分離部３５１により分離されたＳＣ１０２から伝送された音響データを復調する。内部電源生成部３５９は、電源／データ分離部３５１により分離して得られるＳＣ１０２からのＡＣ電源から、ＳＰ内部の駆動電源を生成する。アンプ部３６１及びスピーカ３６２は、データ復調部３５８で復調処理して得られたＣＳＰ１０３に割り当てられている音響データ（ＣＳＰ１０３宛の音響データ）を再生する。データ復調部３５８、アンプ部３６１、及びスピーカ３６２により再生処理手段としての機能が実現される。
【００３７】
データ再変調部３６０は、データ復調部３５８で復調処理して得られたＳＣ１０２からの音響データ（詳細には、復調された音響データのうちＣＳＰ１０３宛以外の音響データ）をＦＬＳＰ１０４に送るために再度変調する。電源／データ挿入部３６３は、データ再変調部３６０で変調処理された音響データをＦＬＳＰ１０４に送るために、その音響データをＡＣ電源に重畳し出力する。
【００３８】
同様に、データ再変調部３６４は、データ復調部３５８で復調処理して得られたＳＣ１０２からの音響データ（詳細には、復調された音響データのうちＣＳＰ１０３宛以外の音響データ）をＦＲＳＰ１０６に送るために再度変調する。電源／データ挿入部３６５は、データ再変調部３６４で変調処理された音響データをＦＲＳＰ１０６に送るために、その音響データをＡＣ電源に重畳し出力する。
【００３９】
ＬＰＦ３１５は、ＳＣ１０２からＣＳＰ１０３に伝送されるデータとＣＳＰ１０３からＦＬＳＰ１０４に伝送されるデータとの干渉を防止するために設けられる。また、ＬＰＦ３１４は、ＣＳＰ１０３からＦＬＳＰ１０４に伝送されるデータとＣＳＰ１０３からＦＲＳＰ１０６に伝送されるデータとの干渉を防止するために設けられる。
【００４０】
次に、本実施形態におけるＳＣ１０２及び各ＳＰの各機器間での接続方式であるデイジーチェーン接続方式について説明する。
図３は、本実施形態におけるデイジーチェーン接続方式を説明するための図である。図３においては、説明の便宜上、ＣＳＰ１０３、ＦＲＳＰ１０６、ＳＷＳＰ１０７が接続されている様子を示しており、全体の接続の一部分のみを図示している。
【００４１】
図３において、ＦＲＳＰ１０６内、及びＳＷＳＰ１０７内のそれぞれのデータ復調部１０６−１、１０７−１は、ＳＣ１０２内で変調され、伝送された音響データを復調する。また、ＦＲＳＰ１０６内、及びＳＷＳＰ１０７内のそれぞれのスピーカ１０６−２、１０７−２は音響データを再生する。ＦＲＳＰ１０６内、及びＳＷＳＰ１０７内のそれぞれのデータ再変調部１０６−３、１０７−３は、デイジーチェーンで接続された次のＳＰに音響データを再変調して伝送する。
【００４２】
サラウンド処理された各ＳＰへのすべての音響データは、ＳＣ１０２から出力されてＣＳＰ１０３のデータ復調部３５８に入力される。ＣＳＰ１０３で再生すべき音響データのみスピーカ３６２に送り、他のＳＰへの音響データは再度送信するためにデータ再変調部３６０、３６４に送る。ＣＳＰは、２つのデータ再変調部を備えており、デイジーチェーンで接続されているＳＰがどちらのデータ再変調部に接続されているかに応じてデータ再変調部を選択する。
【００４３】
ＣＳＰ１０３のデータ再変調部３６４にはＦＲＳＰ１０６が接続され、その先にＳＷＳＰ１０７、ＲＲＳＰ１０８（図３においては図示せず）が接続されているので、これらのＳＰで再生される音響データはデータ再変調部３６４に送る。データ再変調部３６４で再変調された音響データは、ケーブル１０９−３を用いてＦＲＳＰ１０６のデータ復調部１０６−１に入力される。ＦＲＳＰ１０６は、自身のスピーカ１０６−２で再生すべきデータのみスピーカ１０６−２に送り、それ以外はデータ再変調部１０６−３に送る。以下、同様にして、ＳＷＳＰ１０７のデータ復調部１０７−１、データ再変調部１０７−３、ＲＲＳＰ１０８の順に音響データが送られ、この分岐における音響データの伝送は終了する。
【００４４】
もう一方のＣＳＰ１０３のデータ再変調部３６０にはＦＬＳＰ１０４及びＲＬＳＰ１０５が接続されているので、データ再変調部３６０は、これらの音響データを送信する。上述した説明では再生する音響データはＣＳＰ１０３で分岐されているが、各ＳＰにデータ再変調部を２個具備し、どのＳＰでも分岐できるようにしても良い。また、分岐を繰り返すことも可能である。
【００４５】
次に、ＬＰＦについて図４を参照して説明する。図４は、ＣＳＰ１０３内のＬＰＦ３１５を説明するための図であり、ＬＰＦ３１５を中心に図示しており、ＣＳＰ１０３内の他の構成の一部は省略してある。
【００４６】
ＳＣ１０２から送信されたＡＣ電源に重畳された音響データは、ケーブル１０９−１によりＣＳＰ１０３に送られる。ＣＳＰ１０３内の電源／データ分離部３５１で音響データとＡＣ電源とが分離され、音響データはデータ復調部３５８に送られて再生され、ＡＣ電源は内部電源生成部３５９（図４においては図示せず）からＣＳＰ１０３内部に供給される。同時に、ＡＣ電源はケーブル１０９−３を経由してＦＲＳＰ１０６に供給される。しかし、ＳＣ１０２から送られた音響データは、ＬＰＦ３１５により阻止されＦＲＳＰ１０６には送られない。そこで、ＦＲＳＰ１０６へのデータはデータ再変調部３６０から電源／データ挿入部３６３でＡＣ電源に重畳され、ケーブル１０９−３経由で送られる。この場合もＬＰＦ３１５によりケーブル１０９−１側との干渉は防止される。ＬＰＦの役割としてＡＣ電源は供給することができるが、音響データは通過できない。このＬＰＦによりデイジーチェーン接続が可能となる。
【００４７】
次に、動作について説明する。
図５は、第１の実施形態における通信システムの動作例を示すフローチャートである。
コンテンツメディアであるＣＤ、ＤＶＤなどの音響メディア３０１が音響プレーヤ１０１にセットされ、動作が開始される（ステップＳ４０１）。音響メディア３０１のサンプリング周波数は、表１に一例を示すように音響メディア３０１の種類によって異なる。以下では、ＤＶＤ−Ｖｉｄｅｏを例にして、サンプリング周波数が４８ＫＨｚの場合について説明する。
【００４８】
【表１】
2009118183.tif 000003
【００４９】
音響プレーヤ１０１内のサンプリング周波数検出部３０２は、セットされた音響メディア３０１から収録時に使用されたサンプリング周波数４８ＫＨｚを検出する（ステップＳ４０２）。このときに現在のＡＣ電源の電源周波数と異なる場合で、サンプリング周波数の変更の必要があればサンプリングクロックの生成に移る（ステップＳ４０３）。サンプリング周波数検出部３０２により検出された音響メディア３０１のサンプリング周波数は、ＳＣ１０２内のサンプリングクロック生成部３０４に通知される。サンプリングクロック生成部３０４は、音響メディア３０１の収録時のサンプリング周波数４８ＫＨｚと同一のサンプリングクロックを生成する（ステップＳ４０４）。生成したサンプリングクロックは、データフレーム生成部３１２及びＡＣ電源周波数切替部３０５に送られる。
【００５０】
一方、音響プレーヤ１０１内の音響データ抽出部３０３において音響メディア３０１から抽出された音響データは、ＳＣ１０２内のサラウンドデータ生成部３１１に送られる。サラウンドデータ生成部３１１は、予めスピーカの台数などのサラウンド環境やＳＰの接続トポロジーなどの設定部３１７により設定された内容に従って、供給される音響データをサラウンドデータ化する。
【００５１】
本実施形態の例では、サラウンドデータ生成部３１１は、スピーカ６台分の５．１チャンネルのサラウンドデータを生成する。さらに接続トポロジーとして、ＣＳＰ１０３において伝送経路が二分岐しており、一方はＦＬＳＰ１０４、ＲＬＳＰ１０５がこの順序で接続され、もう一方の分岐は、ＦＲＳＰ１０６、ＳＷＳＰ１０７、ＲＲＳＰ１０８がこの順序で接続されている。これらも予め設定部３１７により設定される。サラウンドデータ生成部３１１にて生成された５．１チャンネル分のサラウンドデータは、データフレーム生成部３１２に送られる。
【００５２】
データフレーム生成部３１２は、音響メディア３０１の収録時のサンプリング周波数と同一のサンプリングクロックを使い、各ＳＰに伝送する音響データをフレーム化する（ステップＳ４０５）。このとき、データフレーム生成部３１２は、フレーム化する際に１フレーム分の音響データである６台分の音響データをＡＣ電源の電源周波数の１サイクル以内になるようにフレーム化する。データフレーム生成部３１２にてフレーム化された１フレーム分の音響データは、データ変調部３１３で通信用に変調され電源／データ挿入部３１０に送られる。
【００５３】
ＡＣ電源周波数切替部３０５は、サンプリングクロック生成部３０４より送られたサンプリングクロックを使って、ＳＰに供給するＡＣ電源の電源周波数を音響メディア３０１の収録時のサンプリング周波数に応じた周波数に切り替える。本実施形態では、ＡＣ電源周波数切替部３０５は、音響メディア３０１の収録時のサンプリング周波数とＳＰに供給するＡＣ電源の電源周波数とを同一にする。なお、これに限らず、音響メディア３０１の収録時のサンプリング周波数に一意に関連付けられた電源周波数にするようにしても良い。
【００５４】
ここで、各ＳＰに供給する電源の供給源になるのは商用電源である。商用電源は、コンセントプラグ３０８から電源部３０７に供給される。ＡＣ電源出力部３０６は、電源部３０７から電源の供給を受け、その電源周波数を音響メディア３０１の収録時のサンプリング周波数と同一の周波数として各ＳＰに電源供給を行う。
【００５５】
また、ＡＣ電源周波数切替部３０５によって周波数を切り替えたＡＣ電源はゼロクロス検出部３０９に送られる。ゼロクロス検出部３０９は、音響メディア３０１の収録時のサンプリング周波数と電源周波数を同一にしたＡＣ電源のゼロクロス点（ゼロクロスポイント）を検出する。検出したＡＣ電源のゼロクロス点に係る情報は、各ＳＰへ供給する電源とフレーム化された音響データを重畳して送信する電源／データ挿入部３１０に通知される。
【００５６】
これにより、電源／データ挿入部３１０は、ＳＰに供給するＡＣ電源のゼロクロス点にフレーム化された音響データの先頭を一致させるようにして、変調された音響データを重畳し出力する（ステップＳ４０６）。なお、電源／データ挿入部３１０は、これに限定されず、ＳＰに供給するＡＣ電源のゼロクロス点を基準とした所定のタイミングに同期させて、フレーム化された音響データをＡＣ電源に重畳し出力するようにしても良い。
【００５７】
フレーム化された音響データは、ＳＣ１０２からケーブル１０９−１を介してＣＳＰ１０３に送信されるが、ＬＰＦ３１４、３１５によりＦＬＳＰ１０４やＦＲＳＰ１０６などへは送信されず、デイジーチェーンで接続されたＣＳＰ１０３から順番に送信される。一方、ＳＣ１０２より供給されるＡＣ電源は、各ＳＰ内に具備されるＬＰＦ３１４、３１５の存在に関係ないので、ＦＬＳＰ１０４やＦＲＳＰ１０６などにも供給される。
【００５８】
以上、ＳＣ１０２からＣＳＰ１０３へのデータ伝送の仕組みを説明した。
ケーブル１０９−１を介したＡＣ電源及び音響データの伝送イメージを図６（Ａ）に示し、ケーブル１０９−３を介したＡＣ電源及び音響データの伝送イメージを図６（Ｂ）に示す。
【００５９】
図６（Ａ）に示すように、ケーブル１０９−１を介した伝送では、５．１チャンネル分の音響データのすべてが重畳されている。一方、図６（Ｂ）に示すように、ケーブル１０９−３を介した伝送では、ＦＲＳＰ１０６、ＳＷＳＰ１０７、ＲＲＳＰ１０８への音響データのみがＡＣ電源に重畳され伝送される。また、ＡＣ電源の電源周波数４８ＫＨｚの１サイクル内（２２．８μｓ内）に各ＳＰで再生される５．１チャンネル分の音響データが伝送される。さらに、ＡＣ電源のゼロクロス点と音響データのデータフレームの先頭が一致するよう配置される（重畳される）。
【００６０】
ＳＣ１０２からＡＣ電源に重畳して送られた音響データは、デイジーチェーン接続された最初の機器であるＣＳＰ１０３にケーブル１０９−１を介して受信される。ＣＳＰ１０３内の電源／データ分離部３５１は、ＳＣ１０２から送られた音響データを取り出し、データ復調部３５８に送る。
【００６１】
ＣＳＰ１０３内の電源周波数検出部３５２は、電源／データ分離部３５１と接続されており、ＳＣ１０２から供給されたＡＣ電源の電源周波数を検出する（ステップＳ４０７）。これにより、電源周波数検出部３５２は、ＳＣ１０２内のＡＣ電源周波数切替部３０５で変更されたＡＣ電源の電源周波数、すなわち音響メディア３０１の収録時のサンプリング周波数を検出する。電源周波数検出部３５２は、検出したＡＣ電源の電源周波数をマスタークロック選択部３５４に通知する。
【００６２】
また、ＡＣ電源の電源周波数の検出動作と同時にゼロクロス検出部３５３は、ＡＣ電源のゼロクロス点を検出する。ゼロクロス検出部３５３は、検出したＡＣ電源のゼロクロス点を、サンプリングクロック生成部３５５とデイジーチェーンで接続された次のＳＰに音響データを送信する電源／データ挿入部３６３、３６５に通知する。
【００６３】
マスタークロック選択部３５４は、供給されるＡＣ電源の電源周波数に対して逓倍のクロックが用意されている。マスタークロック選択部３５４は、電源周波数検出部３５２より通知されるＡＣ電源の電源周波数に基づいて、その周波数の逓倍にあたるクロックを選択する。
【００６４】
サンプリングクロック生成部３５５は、マスタークロック選択部３５４で選択されたマスタークロックから分周を行い、音響メディア３０１の収録時のサンプリング周波数と同じ周波数のサンプリングクロックを生成する。サンプリングクロック生成部３５５は、音響データを再生するアンプ部３６１に、供給されるＡＣ電源の電源周波数、すなわち音響メディア３０１の収録時のサンプリング周波数通知する（ステップＳ４０８）。
【００６５】
さらに、サンプリングクロック生成部３５５は、ゼロクロス検出部３５３から得たＡＣ電源のゼロクロス点に、生成したサンプリングクロックを同期させてビットクロック生成部３５６に送る。それを受けたビットクロック生成部３５６は、ＡＣ電源のゼロクロス点に同期したビットクロックを生成するとともに、ＳＰ毎の音響データの区切りを示すＳＰ切替クロックを同時に生成する。これらの生成されたクロックは、データ復調部３５８に送られる。
【００６６】
データ復調部３５８は、ビットクロック生成部３５６で生成されたビットクロックとＳＰ切替クロックをデータの復調クロックとして用い、電源／データ分離部３５１から受信した音響データを復調する（ステップＳ４０９）。図７にＣＳＰ１０３内の復調に関するクロックの詳細図を示す。電源周波数４８ＫＨｚのＡＣ電源の立ち上がりにＳＰ切替クロック（チャネル切替クロック）及びビットクロックが同期し、音響データが先頭ビット（音響データの開始点）から配置されている様子を示している。
【００６７】
データ復調部３５８により復調された音響データの中で、ＣＳＰ１０３で再生すべき音響データのみアンプ部３６１を経由してスピーカ部３６２から再生される（ステップＳ４１０）。このときの再生クロックは、ＡＣ電源の電源周波数に同期したサンプリングクロックが用いられる。
【００６８】
また、電源／データ分離部３５１にて分離して得られたＡＣ電源は、ＣＳＰ１０３内で使用する内部電源を生成するために内部電源生成部３５９に供給される。内部電源生成部３５９は、供給されるＡＣ電源を基に内部電源を生成する。
【００６９】
また、ＣＳＰ１０３以外で再生されるべき音響データは、ＣＳＰ１０３の音響データを除いてデイジーチェーンで接続されたＳＰへ渡すためにデータ再変調部３６０（ＦＬＳＰ１０４へ伝送）及びデータ再変調部３６４（ＦＲＳＰ１０６へ伝送）に送られる。データ再変調部３６０、３６４は、入力される音響データを再変調してＳＰに伝送する。このようにしてデイジーチェーン接続されたＦＬＳＰ１０４及びＦＲＳＰ１０６に音響データを伝送する際、電源／データ挿入部３６３、３６５はゼロクロス検出部３５３で検出したＡＣ電源のゼロクロス点に音響データの先頭を合わせて重畳し送信する。電源／データ挿入部３６３からはＦＬＳＰ１０４に音響データを送り、電源／データ挿入部３６５からはＦＲＳＰ１０６に音響データを送る。このときＬＰＦ３１４があるためお互いの音響データは干渉せずに伝送することが可能となる。なお、ＳＣ１０２とＣＳＰ１０３間の干渉の防止はＬＰＦ３１５で実現する。
【００７０】
第１の実施形態によれば、ＳＣ１０２は、音響メディア３０１の収録時のサンプリング周波数に一意に関連付けられた電源周波数に、各ＳＰに供給するＡＣ電源の電源周波数を切り替えて（本実施形態では、サンプリング周波数と同一の周波数にして）供給する。各ＳＰは、供給されるＡＣ電源の電源周波数を検出し、検出した電源周波数を基に音響データを再生処理する周波数（再生周波数）を決定して音響データを再生する。
【００７１】
これにより、特別なコマンドやコマンド等を使用することなく、各ＳＰに供給するＡＣ電源の電源周波数により音響メディア３０１の収録時のサンプリング周波数を各ＳＰに通知することができる。各ＳＰは、供給される音響データを適当な周波数で再生処理することができ、所望のコンテンツメディアを再生することができる。また、音響データのサンプリング周波数が変化した場合には、供給するＡＣ電源の電源周波数を遅延することなしに変化させ、サンプリング周波数の変更通知を行うことができる。
また、ＡＣ電源のゼロクロス点を音響データの先頭（音響データの開始点）に合わせることで、ＳＣ１０２、各ＳＰ１０３〜１０８間の同期を複雑な信号や手段を用いることなく確保することが可能となる。
【００７２】
上述した例では、ＤＶＤ−Ｖｉｄｅｏを例にし、サンプリング周波数が４８ＫＨｚの場合を説明したが、ＣＤ（４４．１ＫＨｚ）、ＤＶＤ−Ａｕｄｉｏ（９６ＫＨｚ）等を再生する際も、同様に本発明を適用することができる。図８は、音響データのサンプリング周波数（ＡＣ電源の電源周波数）が変化した時のデータ伝送の様子の一例を示した図である。図８（Ａ）〜（Ｄ）に示すように、音響メディア３０１のサンプリング周波数に応じて、音響データを重畳して供給するＡＣ電源の電源周波数を切り替え、フレーム化された１フレーム分の音響データがＡＣ電源の１サイクル内になるようにして伝送すれば良い。
【００７３】
（第２の実施形態）
次に、本発明の第２の実施形態について説明する。
上述した第１の実施形態では、ＳＣ１０２から各ＳＰに供給するＡＣ電源に音響データを重畳するようにしているが、第２の実施形態では、ＳＣ１０２から各ＳＰに供給するＡＣ電源及び音響データの伝送を異なる線路を用いて行う。第２の実施形態においても、第１の実施形態と同様に、音響メディア３０１の収録時のサンプリング周波数に関連付けられた電源周波数に、各ＳＰに供給するＡＣ電源の電源周波数を切り替えて供給する。
【００７４】
第２の実施形態に係る通信システムの全体構成は、上述した第１の実施形態と同様である。図９は、第２の実施形態における各通信装置の構成例を示すブロック図である。図９においては、説明の便宜上、図２と同様に音響プレーヤ１０１、ＳＣ１０２、及びＣＳＰ１０３を示し、それらが接続された状態を示している。この図９において、図２に示したブロック等と同一の機能を有するブロック等には同一の符号を付し、重複する説明は省略する。
【００７５】
図９において、ＳＣ１０２内の電源ドライバ１００１は、各ＳＰにＡＣ電源を供給し、データドライバ１００２は、各ＳＰに音響データを伝送する。ＣＳＰ１０３内のデータレシーバ１００３は、ＳＣ１０２から伝送された音響データを受信し、電源レシーバ１００４は、ＳＣ１０２から供給されたＡＣ電源を安定化する。また、ＣＳＰ１０３内のデータドライバ１００５は、デイジーチェーンで接続されたＳＰ（ＦＬＳＰ１０４）に音響データを送信し、データドライバ１００６は、同様にＦＲＳＰ１０６に音響データを送信する。
【００７６】
なお、ＡＣ電源と音響データとが異なる線路で伝送され、各装置内にＡＣ電源に係る送受信を行う構成と音響データに係る送受信を行う構成とが別に設けられる点が異なるだけで、その他の構成は、上述した第１の実施形態と同様である。
【００７７】
また、動作についても、第１の実施形態と同様である。すなわち、音響プレーヤ１０１は音響メディア３０１の音響データを抽出する。ＳＣ１０２は、音響メディア３０１の収録時のサンプリング周波数とＳＰに供給するＡＣ電源の電源周波数を同一の周波数にして、そのゼロクロス点と同じタイミングで音響データの先頭を送信する（音響データの開始点を合わせて送信する）。ＣＳＰ１０３は、ＡＣ電源のゼロクロス点を検出し、ゼロクロス点のタイミングで音響データを受信し、検出したＡＣ電源の電源周波数を基に生成した復調クロックで復調し再生する。また、ＣＳＰ１０３は、ＣＳＰ１０３以外で再生するデータを、デイジーチェーン接続されたＦＬＳＰ１０４、ＦＲＳＰ１０６へデータドライバ１００５及び１００６により伝送する。
【００７８】
第２の実施形態によれば、第１の実施形態と同様に、特別なコマンドやコマンド等を使用することなく、供給するＡＣ電源の電源周波数によって音響メディア３０１の収録時のサンプリング周波数を各ＳＰに通知することができる。各ＳＰは、供給される音響データを適当な周波数で再生処理することができ、所望のコンテンツメディアを再生することができる。また、音響データのサンプリング周波数が変化した場合には、遅延することなしにサンプリング周波数の変更通知を行うことができる。また、ＡＣ電源のゼロクロス点を音響データの先頭（音響データの開始点）に合わせることで、ＳＣ１０２、各ＳＰ１０３〜１０８間の同期を複雑な信号や手段を用いることなく確保することが可能となる。
【００７９】
（第３の実施形態）
次に、本発明の第３の実施形態について説明する。
以下に説明する第３の実施形態は、ＡＣ電源の電源周波数を音響メディアの収録時のサンプリング周波数の（ｐ／ｑ）倍（ｐ、ｑは任意の自然数）にしてＳＣ１０２から各ＳＰに供給する。
【００８０】
第３の実施形態は、上述した第１の実施形態において示した構成及び第２の実施形態において示した構成の両方に対して適用可能である。以下では、第２の実施形態において示した構成に対して第３の実施形態を適用した場合を一例として説明する。
【００８１】
第３の実施形態では、図９に示した設定部３１７に、ＡＣ電源の電源周波数を各種音響メディアのサンプリング周波数の何倍にするかの倍率ｎ（＝ｐ／ｑ）を設定する。その設定された倍率は、ＳＣ１０２より各ＳＰにも伝えられる。ここでの倍率は任意に決められるものである。その一例を表２に示す。
【００８２】
【表２】
2009118183.tif 000004
【００８３】
表２において、任意の倍率（１／１２００）を選択した場合には、サンプリング周波数が４４．１ＫＨｚであればＡＣ電源の電源周波数が３６．７５Ｈｚになり、サンプリング周波数が４８ＫＨｚであればＡＣ電源の電源周波数が４０Ｈｚになることを表している。したがって、倍率が（１／１２００）に設定された場合、音響メディアのサンプリング周波数が４８ＫＨｚであれば、ＳＣ１０２は、４８ＫＨｚに倍率（１／１２００）を乗算して得られる４０ＨｚにＡＣ電源の電源周波数を切り替え、各ＳＰに電源供給する。この４０ＨｚのＡＣ電源の電源周波数を検出したＳＰは、４０Ｈｚを設定倍率（１／１２００）の逆数を乗算した、すなわち１２００倍した４８ＫＨｚが音響メディアのサンプリング周波数であると判断する。同様に、音響メディアのサンプリング周波数が９６ＫＨｚの場合には８０ＨｚにＡＣ電源の電源周波数を設定し、これを検出したＳＰはＡＣ電源の電源周波数８０Ｈｚを１２００倍することでサンプリング周波数が９６ＫＨｚであると判断できる。
なお、その他の構成や動作は、上述した第１の実施形態や第２の実施形態と同様である。
【００８４】
第３の実施形態によれば、上述した第１及び第２の実施形態と同様の効果が得られる。さらに、第３の実施形態によれば、予め音響メディア３０１の収録時のサンプリング周波数のｎ倍の周波数にＡＣ電源の電源周波数に切り替えることを設定し、受信側では設定された倍率ｎの逆数を乗算してサンプリング周波数を算出する。これにより、各ＳＰに供給するＡＣ電源の電源周波数をＫＨｚ台の高い周波数に上げることなく、音響メディア３０１のサンプリング周波数を各ＳＰに通知することが可能となり、簡便な回路で実現でき回路構成が非常に安価に構成できる。
【００８５】
なお、上述した各実施形態では、ＳＣ１０２、ＳＰ間及びＳＰ間の接続方式がデイジーチェーン方式の場合を一例として説明した。本発明は、これに限定されず、図１０に示すようにＳＣ１０２からの線路に各ＳＰが接続されるような接続方式がマルチドロップタイプの場合においても同様の効果を得ることができる。なお、図１０において、図１に示したブロックと同一の機能を有するブロックには同一の符号を付している。
【００８６】
（本発明の他の実施形態）
上述した実施形態の機能を実現するべく各種のデバイスを動作させるように、該各種デバイスと接続された装置又はシステム内のコンピュータ（ＣＰＵ又はＭＰＵ）に対し、前記実施形態の機能を実現するためのソフトウェアのプログラムを供給する。そして、そのシステム又は装置のコンピュータに格納されたプログラムに従って前記各種デバイスを動作させることによって実施したものも、本発明の範疇に含まれる。
また、この場合、前記ソフトウェアのプログラム自体が上述した実施形態の機能を実現することになり、そのプログラム自体は本発明を構成する。また、そのプログラムをコンピュータに供給するための手段、例えばかかるプログラムを格納した記録媒体は本発明を構成する。かかるプログラムを記憶する記録媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
また、供給されたプログラムがコンピュータにて稼働しているオペレーティングシステム又は他のアプリケーションソフト等と共同して上述の実施形態の機能が実現される場合にもかかるプログラムは本発明の実施形態に含まれることは言うまでもない。
さらに、供給されたプログラムがコンピュータに係る機能拡張ボードや機能拡張ユニットに備わるメモリに格納された後、そのプログラムの指示に基づいてその機能拡張ボード等に備わるＣＰＵ等が実際の処理の一部又は全部を行う。その処理によって上述した実施形態の機能が実現される場合にも本発明に含まれることは言うまでもない。
【００８７】
例えば、各実施形態における各通信装置は、図１１に示すようなコンピュータ機能７００を有し、そのＣＰＵ７０１により各実施形態での動作が実施される。
コンピュータ機能７００は、図１１に示すように、ＣＰＵ７０１と、ＲＯＭ７０２と、ＲＡＭ７０３とを備える。また、操作部（ＣＯＮＳ）７０９のコントローラ（ＣＯＮＳＣ）７０５と、ＣＲＴやＬＣＤ等の表示部としてのディスプレイ（ＤＩＳＰ）７１０のディスプレイコントローラ（ＤＩＳＰＣ）７０６とを備える。さらに、ハードディスク（ＨＤ）７１１、及びフレキシブルディスク等の記憶デバイス（ＳＴＤ）７１２のコントローラ（ＤＣＯＮＴ）７０７と、ネットワークインタフェースカード（ＮＩＣ）７０８とを備える。それら機能部７０１、７０２、７０３、７０５、７０６、７０７、７０８は、システムバス７０４を介して互いに通信可能に接続された構成としている。
ＣＰＵ７０１は、ＲＯＭ７０２又はＨＤ７１１に記憶されたソフトウェア、又はＳＴＤ７１２より供給されるソフトウェアを実行することで、システムバス７０４に接続された各構成部を総括的に制御する。すなわち、ＣＰＵ７０１は、上述したような動作を行うための処理プログラムを、ＲＯＭ７０２、ＨＤ７１１、又はＳＴＤ７１２から読み出して実行することで、各実施形態での動作を実現するための制御を行う。ＲＡＭ７０３は、ＣＰＵ７０１の主メモリ又はワークエリア等として機能する。
ＣＯＮＳＣ７０５は、ＣＯＮＳ７０９からの指示入力を制御する。ＤＩＳＰＣ７０６は、ＤＩＳＰ７１０の表示を制御する。ＤＣＯＮＴ７０７は、ブートプログラム、種々のアプリケーション、ユーザファイル、ネットワーク管理プログラム、及び各実施形態における前記処理プログラム等を記憶するＨＤ７１１及びＳＴＤ７１２とのアクセスを制御する。ＮＩＣ７０８はネットワーク７１３上の他の装置と双方向にデータをやりとりする。
【００８８】
なお、前記実施形態は、何れも本発明を実施するにあたっての具体化のほんの一例を示したものに過ぎず、これらによって本発明の技術的範囲が限定的に解釈されてはならないものである。すなわち、本発明はその技術思想、又はその主要な特徴から逸脱することなく、様々な形で実施することができる。
【図面の簡単な説明】
【００８９】
【図１】本発明の第１の実施形態に係る通信システムの構成例を示す図である。
【図２】図１に示した各通信装置の構成例を示す図である。
【図３】第１の実施形態におけるデイジーチェーン接続方法を説明するための図である。
【図４】第１の実施形態におけるローパスフィルタの機能を説明するための図である。
【図５】第１の実施形態における通信システムの動作例を示すフローチャートである。
【図６】第１の実施形態におけるＡＣ電源及び音響データの伝送イメージの一例を示す図である。
【図７】第１の実施形態におけるデータ復調に関するクロックを示す図である。
【図８】音響データのサンプリング周波数が変化した時のデータ伝送の一例を示す図である。
【図９】第２の実施形態における各通信装置の構成例を示す図である。
【図１０】接続方式がマルチドロップタイプの通信システムの構成例を示す図である。
【図１１】各実施形態における通信装置を実現可能なコンピュータ機能を示すブロック図である。
【符号の説明】
【００９０】
１０１  音響プレーヤ
１０２  サラウンドコントローラ
１０３〜１０８  スピーカユニット
１０９  ケーブル
３０１  音響メディア
３０２  サンプリング周波数検出部
３０３  音響データ抽出部
３０４  サンプリングクロック生成部
３０５  ＡＣ電源周波数切替部
３０６  ＡＣ電源出力部
３０９  ゼロクロス検出部
３１０  電源／データ挿入部
３１１  サラウンドデータ生成部
３１２  データフレーム生成部
３１３  データ変調部
３１７  設定部
３５１  電源／データ分離部
３５２  電源周波数検出部
３５３  ゼロクロス検出部
３５５  サンプリングクロック生成部
３５８  データ復調部
３６０、３６４  データ再変調部
３６１  アンプ部
３６２  スピーカ部
３６３、３６５  電源／データ挿入部
【図１】
2009118183.tif 000005
【図２】
2009118183.tif 000006
【図３】
2009118183.tif 000007
【図４】
2009118183.tif 000008
【図５】
2009118183.tif 000009
【図６】
2009118183.tif 000010
【図７】
2009118183.tif 000011
【図８】
2009118183.tif 000012
【図９】
2009118183.tif 000013
【図１０】
2009118183.tif 000014
【図１１】
2009118183.tif 000015